(57)【要約】  本発明はシールされたコネクタに関するものであり、そのシールは移動可能な部材を使用してシールを圧縮することによって得られるタイプのコネクタである。本発明は電気コネクタにも関するものであり、そのコネクタは、相補的な端子と接続するための第１の端部（３）と、ケーブルに接続するための第２の端部（４）と、が設けられた少なくとも１つの端子（２）を受容するためのハウジング（１）を具備し、前記ハウジングは、  前記端子（２）を受容するためのモジュール（５）と、前記ケーブルにシールグロメット（９）を備えたスライド（８）であって、前記端子を挿入するための後退位置と前記グロメット（９）を圧縮するための前進位置との間で移動可能なスライド（８）と、相補的なコネクタとの接続を防止するための前進位置と、相補的な端子が挿入されることが可能な後退位置との間で操作可能なフロントカバー（１０）とを具備している。前記スライド（８）には前記フロントカバー（１０）の操作を妨げるための第１の手段（１２）が設けられ、該手段は、前記スライド（８）が前進位置にある場合に、除去されることが可能である。
2008543024.tif 000002
【特許請求の範囲】
【請求項１】
相補的な端子と接続するための第１の端部（３）と、ワイヤ（２２）に接続するための第２の端部（４）と、が設けられた少なくとも１つの端子（２）を受容するためのハウジング（１）を具備している電気コネクタにおいて、前記ハウジングは、
前記端子（２）を受容するためのモジュール（５，５’）と、
前記ワイヤにシールグロメット（９）を備えたスライド（８，８’）であって、前記端子を挿入するための後退位置と前記グロメット（９）を圧縮するための前進位置との間で移動可能なスライド（８，８’）と、
相補的なコネクタとの接続を防止するための前進位置と、相補的な端子が挿入されることが可能な後退位置との間で操作可能なフロントカバー（１０，１０’）とを具備し、
前記スライド（８，８’）には前記フロントカバー（１０，１０’）の操作を妨げるための第１の手段（１２，１２’）が設けられ、該手段は、前記スライド（８，８’）が前進位置にある場合に、除去されることが可能であることを特徴とする電気コネクタ。
【請求項２】
前記手段は、前記端子（２）のスロット（１３）内に歯止めされるラチェット手段（６）を具備していることをさらなる特徴とする、請求項１に記載の電気コネクタ。
【請求項３】
前記端子係止手段は前記フロントカバーによって支持され、前記ラチェット手段（６）をブロックするための壁（１１）を具備していることをさらなる特徴とする、請求項１または２に記載の電気コネクタ。
【請求項４】
前記ラチェット手段（６）は除去可能な停止手段（１４）を有し、該停止手段（１４）は、前記端子が完全に係止されていない場合に、前記フロントカバーの操作を防止するための第２の手段を形成することをさらなる特徴とする、請求項１〜３のいずれか一項に記載の電気コネクタ。
【請求項５】
前記スライド（８，８’）は、１つまたは複数の前記端子が通るための軸方向の穴があけられた後壁（１５）を有し、前記スライドが前進位置にある場合に、前記スライドは１つまたは複数の前記ワイヤの前記グロメットを圧縮していることをさらなる特徴とする、請求項１〜４のいずれか一項に記載の電気コネクタ。
【請求項６】
前記スライドが有する前記フロントカバーの操作を防止するための前記第１の手段は、前記ハウジングの前方を向いて且つ前面停止部（１２，１２’）が設けられた第１のアーム（１８，１８’）を具備し、該第１のアームは前記スライドが後退された場合に、前記フロントカバーに支持され且つ前記ハウジングの後方を向いた第２のアーム（１６）の遠位端（１７）と干渉することをさらなる特徴とする、請求項１〜５のいずれか一項に記載の電気コネクタ。
【請求項７】
前記第１のアーム（１８，１８’）には指部（１９）が設けられ、該指部は、前記遠位端（１７）と干渉する位置から前記前面停止部（１２，１２’）を除去するために、前記スライドが前記後退位置から前記前進位置へ移動する場合に、前記モジュールの斜面（２０）と協働することをさらなる特徴とする、請求項６に記載の電気コネクタ。
【請求項８】
前記第２のアーム（１６，１６’）は、横断片（１６ｃ）によって接続された軸方向脚（１６ａ，１６ｂ）を備えた略Ｕ字形状に形成されていることをさらなる特徴とする、請求項６または７に記載の電気コネクタ。
【請求項９】
前記スライド（８）が前記前進位置にある場合に、前記フロントカバーが前記前進位置から前記後退位置に移動するとき、前記指部（１９）は前記横断片（１６ｃ）を乗り越えて、前記軸方向脚（１６ａ，１６ｂ）の間に挿入されることをさらなる特徴とする、請求項８に記載の電気コネクタ。
【請求項１０】
少なくとも１つの前記アーム（１６）には、ばね手段と窪み手段（２１）とが設けられ、該窪み手段は前記モジュールの窪み手段（２３）と相補的であり、前記フロントカバーの前記後退位置と前記前進位置とを定義していることをさらなる特徴とする、請求項８に記載の電気コネクタ。
【請求項１１】
前記フロントカバーが後退位置にあり且つ前記スライドが前進位置にある場合に、前記第１のアーム（１８）は前記ばね手段および前記窪み手段（２１，２３）をブロックして、前記フロントカバーを前記後退位置に保持していることをさらなる特徴とする、請求項９または１０に記載の電気コネクタ。
【請求項１２】
前記スライドは、前記フロントカバーの操作が順に停止と移動とを繰り返すことを防止するための少なくとも１つの前記第１の手段および第２の手段（１２，１８）を備えていることをさらなる特徴とする、請求項１〜１１のいずれか一項に記載の電気コネクタ。
【発明の詳細な説明】
【技術分野】
【０００１】
本発明はシール型電気コネクタに関するものであり、シールは、移動可能な要素を利用して圧縮されることによって得られるタイプのものである。
【０００２】
本発明は特に自動車用コネクタの分野に適用される。その分野のコネクタはワイヤハーネスに配線され、コネクタはワイヤ側でシールされており、そのシールは多様な種類のワイヤ径が貫通するシールによって行われている。
【０００３】
この場合、ケーブルが貫通するために、シールは十分なサイズのいくつかのソケットを備えていなければならず、それは電気端子を通すためであり、移動可能な部材によるシールの圧縮によって、小さい径のケーブルに関してさえも密着したシールを得ることが可能とされている。
【背景技術】
【０００４】
自動車に適用されるコネクタにおいては、端子係止デバイスが設けられていることが主流であり、そのデバイスは、端子を挿入するための挿入位置と端子係止位置とを備えている。端子係止位置は、コネクタハウジングが、相補的な端子を備えた相補的なハウジングと接続されたときに、端子が後退しないことを保証する位置である。
【０００５】
このために、端子およびハウジングを受容する相補的なラチェット手段を設けること、およびハウジングを閉鎖するための移動可能な手段であって、全ての端子がコネクタハウジング内に正確に係止された場合のみに作動可能となる
【０００６】
従って、コネクタの配線は端子を受容するためのハウジング内に端子を順に導入することからなり、その後ハウジングは閉鎖される。
【０００７】
特許文献１は３つの部品からなるコネクタハウジングを記載しており、相補的なコネクタハウジングと接続するための前側部分と、端子を保持するための中間部分と、相補的なコネクタハウジングとともに係止するための手段が設けられた後部シールグロメットを保持するための後側部分とである。
【０００８】
端子は中間部分に支持されたスプリングラッチによって維持され、スプリングラッチは端子に設けられた溝に係止される。
【０００９】
端子が正確に係止されていないとき、ハウジングは閉鎖することが不可能である。この場合は、圧縮ラッチの自由端がハウジングの前側部分の後壁に突き当たるためである。従って、端子が不完全に係止されている場合は、相補的なコネクタハウジングとの連結は妨害される。
【特許文献１】米国特許第４９９８８９６号明細書
【発明の開示】
【発明が解決しようとする課題】
【００１０】
このデバイスに伴う第１の問題は、グロメット内に端子を押し込むための十分な力が必要となることである。
【００１１】
さらに、ハウジングが完全に閉鎖される前に、端子はラッチの間に保持されているだけであり、このことは端子が軸方向に保持される保証がないということである。
【００１２】
そのようなコネクタにおいて、端子のノーズまたは先端がラッチの間を貫通する。端子がわずかに中心からずれていた場合、それは端子を受容する前側部分のソケットの後壁と干渉する危険性があり、そのことは、ラッチを損傷し、またはラッチが突出してコネクタをブロックするかもしれない。
【００１３】
第２の問題はグロメットがワイヤに対して正確に配置されていなくても端子を係止することが可能であるということであり、このことは、特に自動車用アプリケーションのためのシールコネクタの場合に当てはまる。
【００１４】
本発明の目的は、コネクタハウジング内のワイヤの、良好な後部シールを保証することであり、さらに、操作し忘れる可能性なく端子の良好な係止を得ることである。
【課題を解決するための手段】
【００１５】
この目的を達成するために、本発明は電気コネクタに関するものであり、そのコネクタは、相補的な端子と接続するための第１の端部と、ワイヤに接続するための第２の端部と、が設けられた少なくとも１つの端子を受容するためのハウジングを具備し、前記ハウジングは、
−前記端子を受容するためのモジュールと、
−前記ワイヤにシールグロメットを備えたスライドであって、前記端子を挿入するための後退位置と前記グロメットを圧縮するための前進位置との間で移動可能なスライドと、
−相補的なコネクタとの接続を防止するための前進位置と、相補的な端子が挿入されることが可能な後退位置との間で操作可能なフロントカバーとを具備し、
前記スライドには前記フロントカバーの操作を妨げるための第１の手段が設けられ、該手段は、前記スライドが前進位置にある場合に、除去されることが可能である。
【００１６】
従って、フロントカバーの閉鎖は、最初にスライドが後退位置から前進位置へ操作され、コネクタから出て行くケーブルの位置においてシールを形成した場合にのみ可能である。
【００１７】
より具体的には、本発明によるコネクタのスライドは、前記フロントカバーの操作が順に停止と移動とを繰り返すことを防止するための少なくとも１つの第１の手段および第２の手段を具備している。
【００１８】
この実施形態によると、スライドがグロメットを圧縮するための位置にないときに、フロントカバーの操作を妨げるための第１の手段がフロントカバーの操作を妨げているだけでなく、一旦フロントカバーが後退すると、第２の手段が前記後退位置においてフロントカバーをブロックしている。
【００１９】
本発明の他の特徴および利点は、以下の記載を精読することにより、更に理解されるであろう。以下の本発明の限定的でない実施例は、添付図により示されている。
【発明を実施するための最良の形態】
【００２０】
本発明による電気コネクタはハウジング１を具備しており、図４において具体的な外観が示され、図１において断面斜視図が示されている。これらは本発明の第１の実施形態であり、図８Ａ〜８Ｃには第２の実施形態のハウジングが示されている。
【００２１】
本発明によれば、ハウジングは少なくとも１つの端子２（本実施例によると２つの端子２）を受容するためのモジュール５を具備し、フロントカバー１０を備え、そのフロントカバーは、接触端子を補完的にガイドし、同様のタイプのコネクタを接続するときにエラー回避機能を提供するようにデザインされている。
【００２２】
本発明によるコネクタはグロメット９を圧縮するためのスライド８を具備し、グロメット９はワイヤがコネクタから出て行く、コネクタの後部に取り付けられている。
【００２３】
図１〜７の変化形において、端子支持モジュール５はハウジングの中心部にあり、ハウジングの前部のスカート２９に加えてハウジングの外殻も含んでいる。スライド８は端子支持モジュール内に挿入されている。
【００２４】
図８Ａ〜８Ｃの変化形において、スライド８’はコネクタの前方に向かって延在し、ハウジングの前部の周囲にコネクタの外殻とスカートとを形成しており、端子支持モジュール５’はこの場合コネクタの内部部品となり、コネクタの外殻に対して移動可能である。
【００２５】
より具体的には、図１に関しては、モジュール５は端子２とともに示されている。これらの端子には、相補的な端子と接続するための第１の末端部３と、周知の方法における圧着またははんだ付けによってワイヤ２２に接続される第２の末端部４とが設けられている。
【００２６】
端子２はグロメット９を通して挿入され、これはグロメットの損傷を防止するためであり、端子通過開口部は、このグロメットの変形を最小とするのに十分な大きさで形成されており、流される電流の機能によって、より大きいまたはより小さい端子およびワイヤに適合可能になっている。
【００２７】
その結果、一旦端子がモジュール内に挿入されると、グロメットをケーブルにしっかりと押し付けて、ケーブル通過開口部内に形成されたリップを平坦にする必要がある。
【００２８】
スライド８はこの圧縮を実行するために機能し、このことを実行するために、スライド８は図４に見られる位置の端子挿入のための後退位置から、グロメットの圧縮のための前進位置へと（すなわち端子の接続末端部３に対応するモジュールに関する嵌合面の方向に沿って）操作されることが可能である。
【００２９】
グロメットを圧縮するために、スライド８は１つまたは複数の端子の通路のための軸方向穴が形成された後壁１５を備えており、軸方向穴は、スライドの前進位置において、１つまたは複数のケーブルのグロメットを具備している。この壁は、その周囲においてケーブルに対してグロメットを圧縮するための拡張された領域２７も具備している。
【００３０】
これら２つの位置を定義するために、実施例によると、スライドはスロットが設けられた外部アーム２４を備え、そのスロットは、後退位置におけるつめ２５および前進位置におけるつめ２６を歯止めする。
【００３１】
本発明によると、端子２を受容するためのモジュール５にも、端子を歯止めするための手段６が設けられており、ソケット２を受容するための開口部の壁内配置されたラッチを備えている。この壁はラチェット手段６の下側に向かって伸びている端子案内鞘７の一部を形成している。
【００３２】
ラチェット手段６を形成しているラッチは、実施例によれば、端子２の側壁に形成されたスロット１３内に受容され、係止される。
【００３３】
フロントカバー１０には端子係止手段１１が設けられ、その端子係止手段はラチェット手段６をブロックするための壁１１を具備したフロントカバーによって支持されている。
【００３４】
端子を係止するために、フロントカバーは端子を開放する前進位置と端子を係止する後退位置との間で操作される。
【００３５】
端子係止機能は図７に示されており、端子開放位置が実線で示され、端子係止位置が破線で示されている。
【００３６】
フロントカバーが後退位置にあるとき、端子は係止され、フロントカバーの壁１１はラッチ上に静止し、端子がコネクタの後方（ケーブル側）に引っ張られたときに、ラッチを脇へ押しのけられることを防止している。
【００３７】
それに対して、フロントカバーが前進位置にあるとき、ラッチは壁１１の後方に配置されたくぼみの中に押しのけられることが可能であり、一方では端子をソケット内に挿入することが可能であり、他方では端子が引っ張られたときに端子を解放することが可能である。
【００３８】
本発明によれば、ワイヤ２２に接してグロメット９を圧縮するためのスライド８は、端子挿入のための前進位置とグロメット９を圧縮するための後退位置との間で移動可能であり、そのスライドにはフロントカバー１０の操作を防止するための第１の手段１２が設けられており、これらの手段は、スライド８が前進位置にあるときに除去される。
【００３９】
付加的な安全装置は端子２を歯止めするための手段６の位置において得られ、それはこの手段が除去可能な停止手段１４を備えているためであり、端子が弱く係止されている場合、停止手段１４はフロントカバーの側壁１１に対して静止することによってフロントカバーの操作を防止するための第２の手段を形成しており、その様子は図７の破線で示されている。
【００４０】
これらの手段は、コネクタのための正確な逐次封止を形成するために創造され、スライドが適切に前方に押されて端子を係止しすることを確実にし、且つフロントカバーが後退する前に、コネクタの後部シールが保証している。従って、相補的なコネクタと本発明のコネクタの連結を可能にしている。
【００４１】
従って、双方の状態：前方へのスライドおよび端子が正確に係止されたことが満足された場合に、フロントカバーは係止位置内に操作されることのみが可能になる。
【００４２】
後退したフロントカバー／前進したスライドの位置は図３に示されており、フロントカバーの後端による前部外周シールジョイント２８の封鎖もそこに示されている。
【００４３】
特に図２Ａと２Ｂと参照すると、フロントカバーの操作を防止するための第１の手段は、スライドによって支持されており、ハウジングの前方に向いており、且つ前面停止部１２が設けられた第１のアーム１８を具備し、前記全面停止部１２は、スライドが後退されたとき、前部カバーに支持されてハウジングの後方を向いた第２のアーム１６の遠位端１７と干渉するように配置される。
【００４４】
アーム１８は柔軟なスプリングアームであり、その末端１２は、アームが斜面２０に対して静止していない場合に、互いに閉じられる。干渉位置は図１の位置であり、フロントカバーの後退が完了していない場合、アームの自由端の全面停止部１２が端部１７に対して隣接している。
【００４５】
フロントカバーを作動させるために、アームを干渉位置の外側に移動させる必要がある。
【００４６】
これを行うために、図２Ｂの詳細図に示されているように、モジュール５は斜面２０を備え、スライドが前進位置に移動したときに、アームがスライドする。第１のアーム１８には指部１９が設けられており、該指部１９は、スライドが後退位置から前進位置へと通過中に、モジュールの斜面２０と協働して、前記遠位端１７と干渉する位置から前面停止部１２を脇へ押しのけている。
【００４７】
この位置において、作業者がフロントカバーを押すとき、スライド８によって支持されたアーム１８は、前記端部１７と前記指部１９とがスロープを備えているために、フロントカバーによって支持されたアームの遠位端１７の上を通過することが可能である。
【００４８】
第２のアーム１６は図６Ａおよび６Ｂにより具体的に示されており、略Ｕ字形状片に形成されて、横断片１６ｃによって接続された軸方向脚１６ａおよび１６ｂを有している。
【００４９】
従って、スライド８が前進位置にあって指部１９が斜面２０上にある場合に、フロントカバーが前進位置から後退位置に移動する間、指部１９は横断片１６ｃの上を通過し、軸方向脚１６ａおよび１６ｂの間にとどまっている。以下に述べられているように、軸方向脚は、フロントカバーの操作を妨げるための第２の手段を形成し、一旦スライドが後退位置に収まってフロントカバーをアンロックすることを防止するために、この工程が作動される。
【００５０】
フロントカバーには、前進位置および後退位置においてモジュールに歯止めするための手段が設けられている。
【００５１】
図６Ａおよび６Ｂに示されたこれらの手段は、少なくとも１つの第２のアーム１６に形成されており、この実施例によると、第２のアームには長さ方向に沿って柔軟な脚１６ｂを形成するばね手段が設けられており、軸方向脚１６ｂも横断片１６ｃによって脚１６ａに接続されている。
【００５２】
ばね脚１６ｂには窪み部２１が設けられ、該窪み部はモジュールの窪み部２３と相補的に、歯２１ａと２１ｂとの間に前記窪み部２３を歯止めすることによって前記フロントカバーの後退および前進位置を定義している。図６ａは端子の挿入／離脱のための前進位置におけるものであり、図６ｂは第１の歯２１ｂに対して窪み部２３が隣接している後退位置におけるものである。
【００５３】
フロントカバーが後退位置に押し込まれた場合、スライドによって支持されたアーム１８の端部自身が前進位置にあるために、この端部は横断片１６ｃの上を通過し、軸方向脚１６ａと１６ｂとの間に配置されることがわかる。
【００５４】
本発明による１つの有利な実施形態によれば、アーム１８はばね手段を妨害するように寸法が決定されており、窪み部２１および２３は後退位置においてフロントカバーが保持されるようにされている。
【００５５】
従って、スライドがグロメット９の圧縮を緩和するための後部位置に戻らない場合、フロントカバーが端子のアンロックのための前進位置に戻ることは不可能となっている。
【００５６】
このコネクタは少なくとも１つの第１の手段１２および第２の手段１８を備え、それはカバーの操作がスライドを用いて順に停止と移動とを繰り返すことを防止し、コネクタの１つの係合および閉鎖順序のみを可能としている。スライドが後退位置にあり且つフロントカバーが前進位置にある位置から開始するこの順序は、端子をグロメット９を通してソケット内に挿入し、スライド８をコネクタの前方に押してグロメットを圧縮、その後フロントカバーをコネクタの後方に押して端子をロックすることによるものである。
【００５７】
同様にコネクタ分解するための唯一の順序は、スライドを後退させてフロントカバーを解放し、その後、端子を解放するためにフロントカバーを前方に向かって引き、最終的にグロメットを通して端子のスロット１３内に歯止めされているラチェット手段６を強制的に乗り越えることで端子を除去するのみである。
【００５８】
これまでに記載された実施例とは異なった、図８Ａ〜８Ｃに示された変化した実施形態では、アーム１８’に指示されたスライド８’は外部ボディの一部を形成し、外部ボディには相補的なコネクタと連結するための全部を包囲しているスカート２９’が設けられている。
【００５９】
この変化した実施形態によれば、端子支持モジュールはスライド内に受容され、そのスライド８’にはフロントカバー１０’のアーム１６’と干渉する停止部１２’が設けられており、従ってアーム１８’が斜面３０の後方にあるとき、スライド８’はカバー１０’の後退位置に対向している。
【００６０】
この変化した実施形態によれば、コネクタはスライド８’とフロントカバー１０’とを押すことによって閉鎖される。
【００６１】
最初にスライドを速報に押すことは、アーム１８’が斜面３０を乗り越えて図８Ｂの位置内に入り込むことを可能にしている。
【００６２】
この位置において、停止部１２’はフロントカバー１０’のアーム１６’の端部と干渉することはなく、従ってアーム１６’は移動可能となり、図８Ｃの位置に移動する。アーム１６’の端部は斜面３０の後方に配置される。
【００６３】
本発明は例示された実施形態に限定されるものではなく、雌型または雄型端子を受容するコネクタに、同様に適用されることが可能である。
【図面の簡単な説明】
【００６４】
【図１】本発明によるコネクタの実施形態の一例の断面斜視図を示している。
【図２Ａ】図１のコネクタの断面斜視図であり、スライドがフロントカバーをアンロックするための前進位置にある状態を示している。
【図２Ｂ】図２Ａの詳細図であり、フロントカバーに対するスライドアームの相対位置を示している。
【図３】図１のコネクタの断面斜視図であり、スライドが前進位置にありフロントカバーが後退位置にある状態を示している。
【図４】図１のコネクタの外観の斜視図を示している。
【図５Ａ】スライドの斜視図であり、フロントカバーと端子とが図３の位置にある状態を示している。
【図５Ｂ】図５Ａの詳細図を示している。
【図６Ａ】フロントカバーの操作が順に停止と移動とを繰り返すことを防止するための第１の手段および第２の手段を備えたデバイスの機能の詳細を示した図である。
【図６Ｂ】フロントカバーの操作が順に停止と移動とを繰り返すことを防止するための第１の手段および第２の手段を備えたデバイスの機能の詳細を示した図である。
【図７】図１のコネクタ端子を歯止めおよび係止するための手段の概略的な断面図を示している。
【図８Ａ】本発明の変化した実施形態の側面図を示している。
【図８Ｂ】本発明の変化した実施形態の側面図を示している。
【図８Ｃ】本発明の変化した実施形態の側面図を示している。
【符号の説明】
【００６５】
１          ハウジング
２          端子
３          第１の末端部
４          第２の末端部
５          モジュール
６          ラチェット手段
８          スライド
９          グロメット
１０        フロントカバー
１２        第１の手段（前面停止部）
１３        スロット
１４        停止手段
１５        後壁
１６        第２のアーム
１７        遠位端
１８        第１のアーム（第２の手段）
１９        指部
２０        斜面
２１、２３  窪み手段
【図１】
2008543024.tif 000003
【図２Ａ】
2008543024.tif 000004
【図２Ｂ】
2008543024.tif 000005
【図３】
2008543024.tif 000006
【図４】
2008543024.tif 000007
【図５Ａ】
2008543024.tif 000008
【図５Ｂ】
2008543024.tif 000009
【図６Ａ】
2008543024.tif 000010
【図６Ｂ】
2008543024.tif 000011
【図７】
2008543024.tif 000012
【図８Ａ】
2008543024.tif 000013
【図８Ｂ】
2008543024.tif 000014
【図８Ｃ】
2008543024.tif 000015
【国際調査報告】
2008543024.tif 000016
2008543024.tif 000017
2008543024.tif 000018
2008543024.tif 000019